Podtech/llm-jp-corpus-v4-ja_patent huggingface dataset:
(57)【要約】      （修正有）【課題】自車両と周囲の不特定の車両との間で、道路交通情報等の発信及び受信を可能とする双方向通信を行う手段を提供する。【解決手段】不特定の車両間で、双方向通信が可能な無線装置を備え、自車両の位置情報と共にあらかじめ設定された情報を発信し、電波の届く範囲にいる不特定の他車両へ伝える。逆に、電波を受信した車両は受信された位置情報と自身の位置情報を演算し方角と距離を算出し表示部にその発信源位置と情報の内容を表示する。さらに情報を発信した車両に対し、情報を受信したことを伝えるためのアンサーバック発信機能７を備えた車両用情報通信装置１。【選択図】図１
2014203446.tif 000002
【特許請求の範囲】
【請求項１】
ＧＰＳ衛星からの電波を受信して車両の現在位置を算出するＧＰＳ受信部２と、予め設定された情報を選択入力する情報入力部３と、発信元機器を個別認識するための機器ＩＤ格納部５と情報を送信する送信部６と、他の車両から送信される情報を受信する受信部８と、受信部で受信された情報を映像や音声で出力する情報出力部４と、情報が受信されたことを発信元に返信するアンサーバック部７と、装置全体を制御する制御部９とを備えることを特徴とする車両用情報通信装置１。
【発明の詳細な説明】
【技術分野】
【０００１】  本発明は、主に車両等の移動体に搭載され、当該車両と当該車両周囲に位置する不特定車両において情報交換を可能とした車両用情報通信装置に関する。
【背景技術】
【０００２】  従来、自動車等の車両に関する道路情報を提供するサービスとして、ＡＭラジオでの交通情報やカーナビゲーションシステム等と連携されたＶＩＣＳ等が存在する。
上記システム等に加え、例えば、特許文献１では当該車両の運転中に遭遇した道路情報をＧＰＳ位置情報とともに運転者が周囲の車両対しに発信し、同じ装置を搭載した周囲の不特定車両が情報を得ることができる車載用情報通信装置が提案されている。
【先行技術文献】
【特許文献】
【０００３】
【特許文献１】  特開２００７−１４１０１４号公報
【発明の概要】
【発明が解決しようとする課題】
【０００４】  しかしながら、このような車載用情報通信装置では、当該車両から発信された情報が同装置を搭載した他車両に受信されたかが情報発信元からは不明であり、当該車両が事故等で救助を要請するために発信した緊急情報等が他車両に伝わったかどうかを発信元が把握できず、不安を抱いてしまうという課題があった。
【課題を解決するための手段】
【０００５】  以上の課題を解決するために、請求項１の発明は、ＧＰＳ衛星からの電波を受信して車両の現在位置を算出するＧＰＳ受信部２と、予め設定された情報を選択入力する情報入力部３と、発信元機器を個別認識するための機器ＩＤ格納部５と情報を送信する送信部６と、他の車両から送信される情報を受信する受信部８と、受信部で受信された情報を映像や音声で出力する情報出力部４と、情報が受信されたことを発信元に返信するアンサーバック部７と、装置全体を制御する制御部９とを備えることを特徴とする車両用情報通信装置１を提供する。
【発明の効果】
【０００６】  本発明の車両用情報通信装置によれば、当該車両から発信された情報を、同装置を搭載した周囲の不特定車両にて受信することが可能で、さらにアンサーバック機能により情報を受信したことを当該車両に自動的に返信し確実な情報伝達をすることができる。
【図面の簡単な説明】
【０００７】
【図１】  図１は、本発明の一実施形態を示した構成図である。（実施例１）
【発明を実施するための形態】
【０００８】  この発明の実施形態は、ＧＰＳ衛星からの電波を受信して車両の現在位置を算出するＧＰＳ受信部２と、予め設定された情報を選択入力する情報入力部３と、発信元機器を個別認識するための機器ＩＤ格納部５と情報を送信する送信部６と、他の車両から送信される情報を受信する受信部８と、受信部で受信された情報を映像や音声で出力する情報出力部４と、情報が受信されたことを発信元に返信するアンサーバック部７と、装置全体を制御する制御部９とを備えることを特徴とする車両用情報通信装置１である。
【実施例】
【０００９】  図１は、本発明装置の実施例１の構成図である。【００１０】  以下、図面を参照しながら本発明の好適な実施の形態例について詳細に説明する。【００１１】  図１において、ＧＰＳ受信部２は、ＧＰＳ衛星から送出されるＧＰＳ信号に基づいて車両の現在位置を特定し、情報発信の際に発信元の位置情報として送信部６に送る。【００１２】  情報入力部３は、例えば、情報の内容毎に設定された複数の設定群からなり、車両を運転中に運転者が気がついた情報を本スイッチの選択によりその情報を入力する。例えば、渋滞、事故、落下物、救助依頼、オリジナルメッセージなど、予め用意された複数のスイッチ郡から一つのスイッチを選択して入力する。【００１３】  機器ＩＤ格納部５は、情報発信の際に発信元の装置を特定するためのＩＤ情報を送信部６へ送り、受信側で情報発信元の装置が特定可能となるような仕組みになっている。【００１４】  送信部６は、ＧＰＳ受信部２で得られた位置情報と、情報入力部３より得られた道路情報と、機器ＩＤ格納部５より得られた機器ＩＤ情報を、無線を介して周囲の他の車両に送信するために備えられている。【００１５】  受信部８は、他車両から送信される情報を受信するために備えられている。【００１６】  アンサーバック部７は、受信部８にて受信された情報を基に、発信元の機器ＩＤを特定し、発信元のみへ情報取得完了結果を送信部６をへ送り、送信部６より発信する。【００１７】  情報出力部４は、受信部８にて受信された情報を基に、音声や映像にて出力し、当該車両の運転者に伝える機能を有する。尚、情報出力部は一つのみに限らず複数の出力装置を設置することも可能で、例えば、車両運転者の見やすい位置や、リアガラス等へ設置し後続する車両へ受信情報を表示することも可能である。【００１８】  又、情報出力部４は情報発信の際に、他車両のアンサーバック部７により返信された情報取得完了結果を出力する機能も有する。【００１９】  制御部９は、ＣＰＵ（中央処理装置）及びコンピュータプログラム等で構成され、車両用情報通信装置全体を制御するとともに、各種演算処理等も行う。更に情報発信が頻繁すぎて受信側が混乱しないように、一定間隔の発信制限等を行う管理機能を有する。
【符号の説明】
【００２０】１…  車両用情報通信装置
２…  ＧＰＳ受信部
３…  情報入力部
４…  情報出力部
５…  機器ＩＤ格納部
６…  送信部
７…  アンサーバック部
８…  受信部
９…  制御部
【図１】
2014203446.tif 000003
(57)【要約】【課題】パソコンのマウスで作業をしていると指先が冷えてしまう、又はマウスの材料にアレルギー反応を示し触れない人のためのパソコンマウスカバーを提供する。【解決手段】パソコンマウス程の大きさの布・皮又はビニール製素材をホイールボタン操作が可能となる様Ｕの字にカットし、裏面手の平の下になる部分に一部滑り止め機能を有する材料を結合したパソコンマウスカバーを特徴とする。【選択図】図２
2014203447.tif 000002
【特許請求の範囲】
【請求項１】
（イ）  布・皮・又はビニール製素材のホイールボタンに当たる部分をＵ字にカットする        。
（ロ）  布の裏側は、手の平を置く部分に滑り止め機能を有した材料を結合する。
以上の構成によりなるパソコンマウスカバー。
【発明の詳細な説明】
【技術分野】
【０００１】この発明は、パソコンのマウスを使用の際、指の冷えが生じ、ひどくなると痛みにまで感じることがある人、又はマウスの材料にアレルギーを持つ人に対し、これらを防止することを目的としたパソコンマウスカバーに関するものである。
【背景技術】
【０００２】従来、パソコンのマウス操作の指先の冷えを対策としたカバーは、袋に手を入れてマウスを操作するもの又はマウス自体を暖めるタイプしか無かった。
【発明の開示】
【発明が解決しようとする課題】
【０００３】これは、次のような欠点があった。
（イ）  袋の中に手を入れて操作をするタイプは袋の内部がそれ程大きく作れないので動        作にかなり制限がかかる。
（ロ）  袋の底部分をＵＳＢ給電により暖めるので長時間使っていると汗を掻き、蒸れて        不快になる。
（ハ）  マウス自体を暖めるタイプは手の平を置く部分のみしかＵＳＢ給電により暖まら        ないので、指先は冷たいままである。
（二）  両タイプもアレルギーを持つ人にまでは対応出来ない。
（ホ）  両タイプも微量とはいえ電気代がかかる。また、コードレスが進む中、配線が繋        がっているのは見栄えが良くない。
本発明は、以上のような欠点をなくすためになされたものである。
【課題を解決するための手段】
【０００４】マウスの縦方向寸法＋（高さ×２）、マウスの横方向寸法＋（高さ×２）程の縦横大きさの布。皮又はビニール製素材を設け、ホイールボタンにかからないようＵ字にカットし、手の平の下にくる部分のマウスとの接触面に滑り止め機能を有した材料を設ける。
本発明は、以上の構成よりなるパソコンマウスカバーである。
【発明の効果】
【０００５】（イ）  既存のマウスの上に被せるだけなので、動作範囲に制約を受けない。
（ロ）  使用する状態は今までと同じなので汗をかくほどは熱くはならない。
（ハ）  マウスのホイールボタン以外は布が被さっているので、手の平だけでなく、指先        も冷たさを感じることはない。
（ニ）  マウス素材に対しアレルギーを持つ人は、マウスに直接触れなくても良くなるの        でストレス無く使う事が出来る。
（ホ）  布・皮又はビニール製素材を置くだけなので、電気代は不要で、コードも無くす        っきりしている。
マウスを新たに買う必要も無い。
【発明を実施するための最良の形態】
【０００６】以下、本発明を実施するための最良の形態について説明する。
マウスの縦方向寸法＋（高さ×２）、マウスの横方向寸法＋（高さ×２）程の縦横大きさの布・皮又はビニール製素材を、ホイールボタンにかからないようＵ字にカットし、手の平の下にくる部分のマウスとの接触面に滑り止め機能を有した材料を結合する。
本発明は、以上のような構造でこれを使用するときは、マウスの上部に置きさえすればいい。
【図面の簡単な説明】
【０００７】
【図１】本発明の平面図である。
【図２】本発明の設置斜視図である。
【符号の説明】
【０００８】１  布・皮又はビニール製素材
２  滑り止め機能を有した材料
３  パソコンマウス
４  ホイールボタン
【図１】
2014203447.tif 000003
【図２】
2014203447.tif 000004
(57)【要約】      （修正有）【課題】ネット検索の結果に、安全性をプラスする為に安全危険レベルを合わせて表示する。【解決手段】検索サイトで検索した際にリストアップされるサイトやアプリのページについて、いいねやユーザの評判やプレビューの情報によりどれだけそのサイトやアプリのページが安全なのか危険なのかを人工頭脳コンピュータが判断し、コンピュータサイトセーフティレベルとして、数字、％、グラフィック、色、文字、☆印、○×等で表示する。【選択図】なし【特許請求の範囲】
【請求項１】
〔０００１〕
2014203448.tif 000002
がらも検索した際にリストアップされるサイトやアプリのページにサイトセーフティレベル（どれだけそのサイトが安全か危険か）を数字か％かグラフィックか色かか文字か☆か○×かをとにかく安全か危険か信用できるのかそれともコンピュータウイルスがふっつくぐらい危険なのかそのレベルをサイトの安全性を表示して（いいねやユーザの評判やプレビューで判断する（人工頭脳コンピュータが））安全性を確認できる発明である。
【発明の詳細な説明】
【技術分野】
【０００２】本発明は従来の検索などを安全的につかう発明である。
【提案技術】
【０００３】従来の検索サイトには安全度がわからなかった。
【発明が解決しようとしている課題】
【０００４】従来のネット検索には安全度効果がわからなかった。
【悩みを解決する手段】
【０００５】従来のネット検索にネットセーフティレベル発明を追加する。
【発明の効果】
【０００６】従来のネット検索にネットセーフティレベル発明を追加する。
【発明を実施するための形態】
【０００７】従来のネット検索に安全性をプラスして使用できる。
(57)【要約】【課題】いかに残量を少なく出来るか【解決手段】缶の上部の蓋を円球状にして飲み口を付ける【特許請求の範囲】
【請求項１】
缶の上部を半円球にする
【発明の詳細な説明】
【技術分野】これは缶の飲料水（ジュース、ビール、コーヒー等）に関するものである。
【背景技術】現在の缶だと最後には５ＣＣの中身が残る。各自治体では洗って出すよう促してはいるが、洗って出す人は数少ない。リサイクルセンターでは残った液体により袋にくっいて出て来ない。それに悪臭もひどい。
【発明が解決しようとする課題】
なんとか残る中身を少なくできないか。
【課題を解決するための手段】
缶の上部分を半円球にする。
【発明の効果】
これにより洗って出さなくてもよいとは言えないがかなりの効果がでると思う。
【発明を実施するための最良の形態】これはメーカー依頼するしかないと思う。
【産業上の利用分野】
これで少しは清潔になるし悪臭も減少できると思う。
2014196142.tif 000002
2014196142.tif 000003
【手続補正書】
【提出日】平成26年3月31日(2014.3.31)
【手続補正１】
【補正対象書類名】明細書
【補正対象項目名】全文
【補正方法】変更
【補正の内容】
【発明の詳細な説明】
【技術分野】これは缶の飲料水（ジュース、ビール、コーヒー等）に関するものである。
【背景技術】例えば現在ある３５０ｃｃの缶だと最後には５ｃｃの中身が残る。各自治体では洗って出すよう促してはいるが、洗って出す人は少ない。リサイクルセンターでは残った液体により袋にくっついて出てこないありさま。それに悪臭もひどく衛生的にも非常に悪い。
【発明が解決しようとする課題】
なんとか残る中身を少なくできないか。
【課題を解決するための手段】
缶の上部の蓋を円球状にして飲み口を付ければ、ほとんど出てしまう。
【発明の効果】
これにより洗って出さなくてもよいとは言えないが、かなりの効果がある。
【発明を実施するための最良の形態】発明を公開して技術文献的に第三者に利用させる。
【産業上の利用分野】
これで少しは衛生的環境になる。
【図面の簡単な説明】
【図１】側面図
【図２】平面図
【図３】断面図  缶の上蓋を円球状にすることにより中身が飲み口に集まる。
【手続補正２】
【補正対象書類名】図面
【補正対象項目名】全図
【補正方法】変更
【補正の内容】
【図１】
2014196142.tif 000004
【図２】
2014196142.tif 000005
【図３】
2014196142.tif 000006
【手続補正３】
【補正対象書類名】特許請求の範囲
【補正対象項目名】全文
【補正方法】変更
【補正の内容】
【特許請求の範囲】
【請求項１】
上部の蓋を缶大小、各高さ５ｍｍ，３ｍｍの円球状にして飲み口を付ける。
(57)【要約】【課題】  流入水頭が必要なく、取り付け場所が限定されることのない流動検視器を得ること。【解決手段】  密閉容器１に作動気体の給気口２と排気口３、及び、圧送液体の流入口４と圧送口５を設けて、密閉容器１の左側上部に取り付けたフロート位置検出スイッチ６と、流入口４側に取り付けた自動開閉弁７とで液体圧送装置を構成する。  圧送液体の流入口４側に自動開閉弁７を取り付けたことによって、流入口４側に逆止弁を取り付ける必要がなく、従って、流入水頭が必要なく、取り付け場所が限定されることはない。【選択図】図１
2014196946.tif 000002
【特許請求の範囲】
【請求項１】
検視器ケーシングに入口と検視室と出口を形成し、検視室内部を透視可能な透明部材を取り付けたものにおいて、検視室内にオーバーフロー管を取り付けて、当該オーバーフロー管の上部に回転可能に取り付けたファン部材を配置した流動検視器。
【発明の詳細な説明】
【技術分野】
【０００１】
本発明は、流体配管に取付けて流体の流れの状態、すなわち、流体が流れているのか否か、あるいは、流れている流体量は多いのか少ないのか、等を検視する流動検視器に関する。流動検視器は、例えば、冷却水管に取り付けて、冷却水が適量供給されているのか否かなどを確認することもできるものである。
【背景技術】
【０００２】
従来の流動検視器は、弁筐にその内部を透視可能に固定された強化ガラス製の円筒形透明体と、弁孔つき弁座を具え、当該弁座に離着座自在に球弁子を配したもので、流体の流動による球弁子の動きを、これを囲む強化ガラス製の円筒形透明体を通して検視するものである。
【０００３】
上記従来の流動検視器では、球弁子の動きを検視することにより、流れの有無あるいは流体量の概略の大小を確認することができるが、検視器内部を流下する流体の圧力は一般に高く、流速も速いものであり、球弁子の動きも激しいものとなって、弁筐や強化ガラスの内面に衝突を繰り返し、球弁子そのものが減肉摩耗してしまう問題があった。
【先行技術文献】
【特許文献】
【０００４】
【特許文献１】特開昭５７−１６１３９８
【発明の概要】
【発明が解決しようとする課題】
【０００５】
解決しようとする課題は、配管内部を流れている流体の流れの状態、すなわち、流れの有無あるいは流量の大小を検視することができると共に、球弁子が摩耗減肉を生じない流動検視器を得ることである。
【課題を解決するための手段】
【０００６】
本発明は、検視器ケーシングに入口と検視室と出口を形成し、検視室内部を透視可能な透明部材を取り付けたものにおいて、検視室内にオーバーフロー管を取り付けて、当該オーバーフロー管の上部に回転可能に取り付けたファン部材を配置したものである。
【発明の効果】
【０００７】
本発明は、オーバーフロー管の上部に回転可能にファン部材を取り付けたことにより、球弁子を用いる必要がなく、従って、球弁子の摩耗減肉を防止することができる。
【図面の簡単な説明】
【０００８】
【図１】本発明に係る流動検視器の実施例を示す構成図。
【発明を実施するための最良の形態】
【０００９】
本発明の流動検視器に取り付けるファン部材としては、二葉タイプや三葉タイプ等従来公知のものを用いることができる。
【実施例】
【００１０】
以下、本発明の実施の形態について、図１を参照して説明する。入口１と出口２と検視室３を設けた本体４と、本体４の中央部に透明部材としての強化ガラス製の円板状透明体５を固着して流動検視器のケーシングを形成する。
【００１１】
検視室３の内部中央部にオーバーフロー管６を垂直に取り付ける。オーバーフロー管６の上端部は開口７にすると共に、オーバーフロー管６の上部に回転可能なファン部材８を取り付ける。
【００１２】
入口１から流入する流体、例えば、蒸気と蒸気の凝縮した復水との混合流体は、入口１から検視室３内に至り、その液位がオーバーフロー管６の開口７に達すると、オーバーフロー管６の内部を流下して出口２から系外へ排出される。この場合、開口７からは、復水と蒸気の混合流体が排出される。
【００１３】
検視室３内の液位の高低を円板状透明体５を介して目視することによって、検視室３内へ流入する復水の量の多少を判断することができ、また、オーバーフロー管６の開口７を越流する復水の量を目視することで、復水の量の多少を判断することができる。更に、オーバーフロー管６の上部に取り付けたファン部材８の回転量を、円板状透明体５を介して目視することによって、出口２側へ流下する蒸気の量の多少を判断することができる。
【産業上の利用可能性】
【００１４】
本発明は、流体配管に取付けて流体の流れの状態、すなわち、流体が流れているのか否か、あるいは、流れている流体量は多いのか少ないのか、等を検視する流動検視器として適用できる。
【符号の説明】
【００１５】
１  入口
２  出口
３  検視室
４  本体
５  円板状透明体
６  オーバーフロー管
７  開口
８  ファン部材
【図１】
2014196946.tif 000003
(57)【要約】【課題】一箇所の目視のみによって、蒸気トラップの作動状態を判断することのできる温度表示装置を得ること。【解決手段】  蒸気トラップ１に入口側配管２と出口側配管３を接続する。入口側配管２の上面に温度状態検出部材４を、同様に出口側配管３の上面に温度状態検出部材５を取り付ける。温度状態検出部材４，５を接続部材８で接続する。表示部材１０を、左右の端部を温度状態検出部材４，５に一端部を固定した支持棒１１，１２で取り付ける。  温度状態検出部材４，５の変位に応じて蒸気トラップ１が正常なのか否かを表示部材１０に表示することにより、表示部材１０の一箇所のみの目視によって、蒸気トラップ１の作動状態を判断することができる。【選択図】図１
2014196783.tif 000002
【特許請求の範囲】
【請求項１】
蒸気トラップの弁口の入口側と出口側に温度状態検出部材を取り付けて、当該温度状態検出部材からの温度情報を基にして、当該蒸気トラップが正常に作動しているのか否かを確認することができるものにおいて、入口側と出口側の温度状態検出部材をそれぞれ接続する接続部材を取り付けて、当該接続部材の変位に応じて蒸気トラップが正常なのか否かを表示する表示部材を配置したことを特徴とする温度表示装置。
【発明の詳細な説明】
【技術分野】
【０００１】
本発明は、蒸気配管に取り付けられる蒸気トラップが正常に作動しているのか否かを確認することのできる温度表示装置に関する。
蒸気トラップは、蒸気の凝縮した復水だけを外部へ排出し、蒸気は外部へ排出することのない自動弁の一種である。
【背景技術】
【０００２】
従来の温度表示装置は、形状記憶合金の薄板で製作した温度表示板を、蒸気トラップの弁口の入口側と出口側の二箇所に取り付けたもので、それぞれの温度表示板の形状若しくは色の状態から、蒸気トラップが正常に作動しているのか、本来排出してはならない蒸気を漏洩しているのか、あるいは、本来排出しなければならない復水を滞留しているのかを目視により判断することができるものである。
【０００３】
上記従来の温度表示装置では、二箇所に取り付けたそれぞれの温度表示板の形状若しくは色の状態から、蒸気トラップの作動状態を判断するために、判断のためのロジックが必要となり、判断そのものが煩雑になってしまう問題があった。
【先行技術文献】
【特許文献】
【０００４】
【特許文献１】実公平３−７６８０
【発明の概要】
【発明が解決しようとする課題】
【０００５】
解決しようとする課題は、一箇所の目視のみによって、蒸気トラップの作動状態を判断することのできる温度表示装置を得ることである。
【課題を解決するための手段】
【０００６】
本発明は、蒸気トラップの弁口の入口側と出口側に温度状態検出部材を取り付けて、当該温度状態検出部材からの温度情報を基にして、当該蒸気トラップが正常に作動しているのか否かを確認することができるものにおいて、入口側と出口側の温度状態検出部材をそれぞれ接続する接続部材を取り付けて、当該接続部材の変位に応じて蒸気トラップが正常なのか否かを表示する表示部材を配置したものである。
【発明の効果】
【０００７】
本発明は、入口側と出口側の温度状態検出部材を接続する接続部材を取り付けて、この接続部財の変位に応じて蒸気トラップが正常なのか否かを表示する表示部材を配置したことにより、表示部材の一箇所のみの目視によって、蒸気トラップの作動状態を判断することができる。
【図面の簡単な説明】
【０００８】
【図１】本発明に係る温度表示装置の実施例を示す構成図。
【発明を実施するための最良の形態】
【０００９】
本発明の温度表示装置に取り付ける温度状態検出部材としては、いわゆる感温素子、具体的には、形状記憶合金やバイメタルや液封ベローズ等、を用いることができる。
【実施例】
【００１０】
以下、本発明の実施の形態について、図１を参照して説明する。蒸気トラップ１に入口側配管２と出口側配管３を接続する。蒸気トラップ１の弁口は図示しないが内部に設ける。入口側配管２から、蒸気と復水の混合流体が蒸気トラップ１の内部に流入して、復水だけが内部の弁口を通って出口側配管３から外部へ排出されるものである。
【００１１】
入口側配管２の上面に温度状態検出部材４を取り付ける。同様に出口側配管３の上面に温度状態検出部材５を取り付ける。それぞれの温度状態検出部材４，５は、内部に図示はしないが感温素子としてのバイメタルを内蔵して、このバイメタルの端部に温度検出端６，７を取り付ける。それぞれの温度状態検出部材４，５は、蒸気トラップ１の入口側と出口側の温度状態を検出することができるものである。
【００１２】
それぞれの温度状態検出部材４，５の温度検出端６，７を、接続部材８で接続する。接続部材８は、本実施例においてはコイルバネで製作する。コイルバネ８の両端部を、温度検出端６，７と接続する。コイルバネ８の中央部に、接続部材としてのコイルバネ８の変位に応じて移動する指示マーカー９を取り付ける。
【００１３】
指示マーカー９の背後に、表示部材１０を配置する。表示部材１０は、長方形の板状で、左右の端部を温度状態検出部材４，５に一端部を固定した支持棒１１，１２で取り付ける。表示部材１０には、蒸気トラップ１が正常に作動していることを意味する「ＧＯＯＤ」と、本来排出してはならない蒸気を漏洩していることを意味する「ＬＥＡＫ」、及び、本来排出しなければならない復水を滞留していることを意味する「ＣＯＬＤ」を記載する。
【００１４】
蒸気トラップ１の入口側と出口側の温度状態検出部材４，５で、蒸気トラップ１の入口側と出口側の温度状態を検出してコイルバネ８を変位させ、コイルバネ８の変位を指示マーカー９へ伝達して、この変位に応じて蒸気トラップ１が正常なのか否かを表示部材１０で表示することにより、表示部材１０の一箇所のみの目視によって、蒸気トラップ１の作動状態を判断することができる。
【産業上の利用可能性】
【００１５】
本発明は、蒸気配管に取り付けられる蒸気トラップが正常に作動しているのか否かを簡単に確認することのできる温度表示装置として適用できる。
【符号の説明】
【００１６】
１  蒸気トラップ
２  入口側配管
３  出口側配管
４  入口側の温度状態検出部材
５  出口側の温度状態検出部材
６，７  温度検出端
８  接続部材
９  指示マーカー
１０  表示部材
【図１】
2014196783.tif 000003